(57)【要約】【課題】  送付人から受取人に送付物が送付される際に、当該送付人から当該受取人への伝達情報を管理することができる伝達情報管理方法及び伝達情報管理サーバを提供する。【解決手段】  伝達情報管理方法には、送付人の携帯機器が、送付物に付された所定のマークに含まれるマーク情報と伝達情報とをサーバに送信するステップＡと、サーバが、ステップＡにおいて送信されたマーク情報と伝達情報とを関連付けて記憶するステップＢと、受取人の携帯機器が、マーク情報をサーバに送信するステップＣと、サーバが、ステップＣにおいて送信されたマーク情報を受信した場合に、当該マーク情報に関連付けられている伝達情報を受取人の携帯機器に送信するステップＤとが具備される。【選択図】  図１
2005182206.tif 000002
【特許請求の範囲】
【請求項１】
送付人から受取人に送付物が送付される際に、当該送付人から当該受取人への伝達情報を管理する伝達情報管理方法であって、
送付人の携帯機器が、前記送付物に付された所定のマークに含まれるマーク情報と前記伝達情報とをサーバに送信するステップＡと、
前記サーバが、前記ステップＡにおいて送信された前記マーク情報と前記伝達情報とを関連付けて記憶するステップＢと、
受取人の携帯機器が、前記マーク情報を前記サーバに送信するステップＣと、
前記サーバが、前記ステップＣにおいて送信された前記マーク情報を受信した場合に、当該マーク情報に関連付けられている前記伝達情報を前記受取人の携帯機器に送信するステップＤとを具備することを特徴とする伝達情報管理方法。
【請求項２】
前記ステップＡにおいて、前記送付人の携帯機器が、所定の認証情報を前記サーバに送信し、
前記ステップＢにおいて、前記サーバが、前記送付人の携帯機器により送信された前記所定の認証情報を、前記マーク情報と前記伝達情報とに関連付けて記憶し、
前記ステップＣにおいて、前記受取人の携帯機器が、前記所定の認証情報を前記サーバに送信し、
前記ステップＤにおいて、前記サーバが、前記受取人の携帯機器により送信された前記マーク情報と前記所定の認証情報とを受信した場合に、当該マーク情報と当該所定の認証情報とに関連付けられている前記伝達情報を前記受取人の携帯機器に送信することを特徴とする請求項１に記載の伝達情報管理方法。
【請求項３】
前記所定の認証情報には、前記送付人を特定する送付人情報と前記受取人を特定する受取人情報とが含まれることを特徴とする請求項２に記載の伝達情報管理方法。
【請求項４】
前記マーク情報が、前記所定のマークの画像情報であることを特徴とする請求項１乃至請求項３に記載の伝達情報管理方法。
【請求項５】
前記ステップＡには、
前記送付人の携帯機器が、前記マーク情報を前記サーバに送信するステップと、
前記サーバが、前記送付人の携帯機器により送信された前記マーク情報を受信した場合に、当該マーク情報に関連付けられているメニュー情報を前記送付人の携帯機器に送信するステップと、
前記送付人の携帯機器が、前記サーバにより送信された前記メニュー情報に基づき、前記伝達情報を前記サーバに送信するステップとが含まれ、
前記ステップＣには、
前記受取人の携帯機器が、前記マーク情報を前記サーバに送信するステップと、
前記サーバが、前記受取人の携帯機器により送信された前記マーク情報を受信した場合に、当該マーク情報に関連付けられているメニュー情報を前記受取人の前記携帯機器に送信するステップと、
前記受取人の携帯機器が、前記サーバにより送信された前記メニュー情報に基づき、前記伝達情報の送信要求を前記サーバに送信するステップとが含まれ、
前記ステップＤには、前記サーバが、前記受取人の携帯機器により送信された前記送信要求を受信した場合に、当該受取人の携帯機器により送信された前記マーク情報に関連付けられている前記伝達情報を当該受取人の携帯機器に送信するステップが含まれることを特徴とする請求項１乃至請求項４に記載の伝達情報管理方法。
【請求項６】
送付人から受取人に送付物が送付される際に、当該送付人から当該受取人への伝達情報を管理する伝達情報管理サーバであって、
前記送付物に付された所定のマークに含まれるマーク情報と前記伝達情報とを送付人の携帯機器から受信し、当該マーク情報と当該伝達情報とを関連付けて記憶する第一記憶手段と、
受取人の携帯機器により送信された前記マーク情報を受信した場合に、当該マーク情報に関連付けられている前記伝達情報を前記受取人の携帯機器に送信する第一送信手段とを具備することを特徴とする伝達情報管理サーバ。
【請求項７】
前記第一記憶手段は、前記送付人の携帯機器により送信された所定の認証情報を、前記マーク情報と前記伝達情報とに関連付けて記憶し、
前記第一送信手段は、前記受取人の携帯機器により送信された前記マーク情報と前記所定の認証情報とを受信した場合に、当該マーク情報と当該所定の認証情報とに関連付けられている前記伝達情報を、前記受取人の携帯機器に送信することを特徴とする請求項６に記載の伝達情報管理サーバ。
【請求項８】
前記所定の認証情報には、前記送付人を特定する送付人情報と前記受取人を特定する受取人情報とが含まれることを特徴とする請求項７に記載の伝達情報管理サーバ。
【請求項９】
前記マーク情報が、前記所定のマークの画像情報であることを特徴とする請求項６乃至請求項８に記載の伝達情報管理サーバ。
【請求項１０】
前記伝達情報管理サーバは、
前記マーク情報とメニュー情報とを関連付けて記憶している第二記憶手段と、
前記送付人の携帯機器又は前記受取人の携帯機器により送信された前記マーク情報を受信した場合に、当該マーク情報に関連付けられているメニュー情報を、当該送付人の携帯機器又は当該受取人の携帯機器に送信する第二送信手段とを具備し、
前記第一送信手段は、前記受取人の携帯機器から前記伝達情報の送信要求を受信した場合に、当該受取人の携帯機器により送信された前記マーク情報に関連付けられている前記伝達情報を、前記受取人の携帯機器に送信することを特徴とする請求項６乃至請求項９に記載の伝達情報管理サーバ。
【発明の詳細な説明】
【技術分野】
【０００１】
本発明は、送付人から受取人に送付物が送付される際に、当該送付人から当該受取人への伝達情報を管理する伝達情報管理方法及び伝達情報管理サーバに関するものである。
【背景技術】
【０００２】
従来、荷物や品物などにバーコードやＩＣタグを付し、当該バーコード等をバーコードリーダーなどの読取装置によって読み取ることによって、荷物等に関する情報（例えば、商品の名称、製造業者名、製造Ｌｏｔ）を取得する技術があった（例えば、特許文献１）。
【特許文献１】特開２００２−２１１６４５号公報
【発明の開示】
【発明が解決しようとする課題】
【０００３】
しかしながら、上述のバーコードやＩＣタグには、予め所定の情報が関連付けられているため、当該バーコードなどに任意の情報を関連付けることができないという問題があった。
【０００４】
従って、送付人が、受取人に送付した贈答品などの送付物にバーコードなどを付し、任意の伝達情報（例えば、お祝いのメッセージ）を当該バーコードなどに関連付けることによって、その伝達情報を受取人に伝えることができないという問題点があった。
【０００５】
そこで、本発明は、上述の問題を解決すべくなされたものであり、送付人から受取人に送付物が送付される際に、当該送付人から当該受取人への伝達情報を管理することにより、当該伝達情報を当該受取人に伝えることができる伝達情報管理方法及び伝達情報管理サーバを提供することを目的とする。
【課題を解決するための手段】
【０００６】
本発明の第１の特徴は、送付人から受取人に送付物が送付される際に、当該送付人から当該受取人への伝達情報を管理する伝達情報管理方法に、送付人の携帯機器が、送付物に付された所定のマークに含まれるマーク情報と伝達情報とをサーバに送信するステップＡと、サーバが、ステップＡにおいて送信されたマーク情報と伝達情報とを関連付けて記憶するステップＢと、受取人の携帯機器が、マーク情報をサーバに送信するステップＣと、サーバが、ステップＣにおいて送信されたマーク情報を受信した場合に、当該マーク情報に関連付けられている伝達情報を受取人の携帯機器に送信するステップＤとが具備されることを要旨とする。
【０００７】
かかる特徴によれば、サーバが、送付人から受取人への伝達情報と所定のマークに含まれるマーク情報とを関連付けて管理することにより、送付人は、任意の伝達情報（文字情報、音声情報、画像情報など）を、送付物に付した所定のマークを介して受取人に伝えることができる。
【０００８】
本発明の第２の特徴は、本発明の第１の特徴において、ステップＡでは、送付人の携帯機器が、所定の認証情報をサーバに送信し、ステップＢでは、サーバが、送付人の携帯機器により送信された所定の認証情報を、マーク情報と伝達情報とに関連付けて記憶し、ステップＣでは、受取人の携帯機器が、所定の認証情報をサーバに送信し、ステップＤでは、サーバが、受取人の携帯機器により送信されたマーク情報と所定の認証情報とを受信した場合に、当該マーク情報と当該所定の認証情報とに関連付けられている伝達情報を受取人の携帯機器に送信することを要旨とする。
【０００９】
かかる特徴によれば、サーバが、マーク情報に加え、認証情報と伝達情報とを関連付けて管理し、認証情報を知らない第三者が、伝達情報を取得できないため、伝達情報の安全性を高めることができる。
【００１０】
本発明の第３の特徴は、本発明の第２の特徴において、所定の認証情報には、送付人を特定する送付人情報と受取人を特定する受取人情報とが含まれることを要旨とする。
【００１１】
かかる特徴によれば、サーバが、マーク情報に加え、送付人情報と受取人情報と伝達情報とを関連付けて管理し、特定の受取人のみが伝達情報を取得できるため、伝達情報の安全性をさらに高めることができる。
【００１２】
本発明の第４の特徴は、本発明の第１乃至第３の特徴において、マーク情報が、所定のマークの画像情報であることを要旨とする。
【００１３】
本発明の第５の特徴は、本発明の第１乃至第４の特徴において、ステップＡには、送付人の携帯機器が、マーク情報をサーバに送信するステップと、サーバが、送付人の携帯機器により送信されたマーク情報を受信した場合に、当該マーク情報に関連付けられているメニュー情報を送付人の携帯機器に送信するステップと、送付人の携帯機器が、サーバにより送信されたメニュー情報に基づき、伝達情報をサーバに送信するステップとが含まれ、ステップＣには、受取人の携帯機器が、マーク情報をサーバに送信するステップと、サーバが、受取人の携帯機器により送信されたマーク情報を受信した場合に、当該マーク情報に関連付けられているメニュー情報を受取人の携帯機器に送信するステップと、受取人の携帯機器が、サーバにより送信されたメニュー情報に基づき、伝達情報の送信要求をサーバに送信するステップとが含まれ、ステップＤには、サーバが、受取人の携帯機器により送信された送信要求を受信した場合に、当該受取人の携帯機器により送信されたマーク情報に関連付けられている伝達情報を当該受取人の携帯機器に送信するステップが含まれることを要旨とする。
【００１４】
本発明の第６の特徴は、送付人から受取人に送付物が送付される際に、当該送付人から当該受取人への伝達情報を管理する伝達情報管理サーバが、送付物に付された所定のマークに含まれるマーク情報と伝達情報とを送付人の携帯機器から受信し、当該マーク情報と当該伝達情報とを関連付けて記憶する第一記憶手段と、受取人の携帯機器により送信されたマーク情報を受信した場合に、当該マーク情報に関連付けられている伝達情報を、受取人の携帯機器に送信する第一送信手段とを具備することを要旨とする。
【００１５】
本発明の第７の特徴は、本発明の第６の特徴において、第一記憶手段が、送付人の携帯機器により送信された所定の認証情報を、マーク情報と伝達情報とに関連付けて記憶し、第一送信手段が、受取人の携帯機器により送信されたマーク情報と所定の認証情報とを受信した場合に、当該マーク情報と当該所定の認証情報とに関連付けられている伝達情報を、受取人の携帯機器に送信することを要旨とする。
【００１６】
本発明の第８の特徴は、本発明の第７の特徴において、所定の認証情報には、送付人を特定する送付人情報と受取人を特定する受取人情報とが含まれることを要旨とする。
【００１７】
本発明の第９の特徴は、本発明の第６乃至第８の特徴において、マーク情報が、所定のマークの画像情報であることを要旨とする。
【００１８】
本発明の第１０の特徴は、本発明の第６乃至第９の特徴において、伝達情報管理サーバが、マーク情報とメニュー情報とを関連付けて記憶している第二記憶手段と、送付人の携帯機器又は受取人の携帯機器により送信されたマーク情報を受信した場合に、当該マーク情報に関連付けられているメニュー情報を、当該送付人の携帯機器又は当該受取人の携帯機器に送信する第二送信手段とを具備し、第一送信手段が、受取人の携帯機器から伝達情報の送信要求を受信した場合に、当該受取人の携帯機器により送信されたマーク情報に関連付けられている伝達情報を受取人の携帯機器に送信することを要旨とする。
【発明の効果】
【００１９】
本発明に係る伝達情報管理方法及び伝達情報管理サーバによれば、伝達情報管理サーバが、送付人から受取人への伝達情報と所定のマークに含まれるマーク情報とを関連付けて管理することにより、送付人は、伝達情報を、送付物に付した所定のマークを介して受取人に伝えることができる。
【発明を実施するための最良の形態】
【００２０】
本実施例における伝達情報管理方法は、任意の伝達情報を二次元バーコードに関連付けて管理するとともに、送付人からの伝達情報を受取人に伝える方法である。
【実施例１】
【００２１】
（伝達情報管理方法を実施するための構成要素）
以下において、本実施例における伝達情報管理方法を実施するための構成要素について説明する。図１は、本実施例における伝達情報管理方法を実施するための各構成要素間の関連を示す全体図である。
【００２２】
図１に示すように、本実施例に係る伝達情報管理方法の主たる構成要素は、送付人１と、受取人２と、送付物３と、二次元バーコード４と、携帯機器１０と、インターフェースサーバ２０と、管理サーバ３０と、通信回線網４０とである。
【００２３】
送付人１は、送付物３を受取人２に送付する送付人であり、受取人２は、当該送付物３を受け取る受取人である。ここで、送付物３は、郵便や宅配便などによって、送付人１から受取人２に郵送される任意の物（例えば、書籍や花束などの贈答品）である。
【００２４】
二次元バーコード４は、シールなどにプリントされているものであり、送付物３に付される所定のマークである。ここで、このシールは、通常の粘着性を有し、紙や合成樹脂フィルムに粘着剤を塗布したもの、又は、剥がし易いノリを塗布したものなどである。なお、シールを書籍などに直接貼る場合には、剥がし易いノリを塗布したシールを用いる方が好ましい。
【００２５】
また、二次元バーコード４を送付物３に付す方法は、シールを貼る方法でなくてもよく、二次元バーコード４がプリントされたタグなどを送付物３に取りつける方法や二次元バーコード４を送付物３に直接プリントする方法などであってもよい。
【００２６】
なお、所定のマークは、二次元バーコード４に限定されるものではなく、通常のバーコードなどであってもよい。
【００２７】
図２は、本実施例における携帯機器１０を示すブロック図である。図２に示すように、携帯機器１０は、通信回線網４０に無線回線などにより接続されており、送受信部１１と、入力部１２と、出力部１３とを具備する。具体的には、携帯機器１０は、携帯電話やＰＤＡなどである。
【００２８】
送付人１の携帯機器１０における送受信部１１は、二次元バーコード４の画像情報と認証情報（送付人情報を含む）と伝達情報と伝達情報の登録を要求するための登録要求とをインターフェースサーバ２０に送信し、メニュー情報と伝達情報を登録するための登録方法情報とをインターフェースサーバ２０から受信する。
【００２９】
また、受取人２の携帯機器１０における送受信部１１は、二次元バーコード４の画像情報と認証情報と伝達情報の再生を要求するための再生要求とをインターフェースサーバ２０に送信し、メニュー情報と伝達情報を再生するための再生方法情報と伝達情報とをインターフェースサーバ２０から受信する送受信手段である。
【００３０】
ここで、伝達情報は、送付人１が受取人２に伝えたい文字情報、音声情報、画像情報などであり、例えば、「お誕生日おめでとう」などのメッセージやＪＰＥＧで圧縮された写真データなどである。
【００３１】
また、メニュー情報には、送付人１や受取人２が伝達情報の登録や再生を選択するための項目が含まれており、例えば、「音声情報の登録」、「画像情報の登録」、「文字情報の登録」、「伝達情報の再生」などの項目が含まれている。
【００３２】
なお、メニュー情報は、グローバルＩＤに関連付けられている。ここで、グローバルＩＤは、一般に広く使用されている様々なＩＤ（書籍におけるＩＳＢＮ、バーコードにおけるＪＡＮコードなど）を統一的に扱うためのＩＤであり、二次元バーコードＩＤを所定の手順で変換することによって得られるＩＤである。また、二次元バーコードＩＤは、二次元バーコード４の各々に割り当てられているＩＤであり、二次元画像のパターン認識技術などによって認識された二次元バーコード４の画像情報を所定の手順で変換することによって得られるＩＤである。
【００３３】
なお、例えば、グローバルＩＤが靴に関するものである場合には、当該グローバルＩＤに関連付けられているメニュー情報には、その靴のメーカーのＵＲＬ、その靴のメンバーズクラブのＵＲＬ、その靴の性能・材質・大きさ、アフターケアー情報などが含まれていてもよい。
【００３４】
また、伝達情報を登録するための登録方法情報とは、伝達情報を登録するための方法を示す情報であり、例えば、「０１２０−×××−△△△に電話をおかけになり、認証情報を入力してからメッセージをお話し下さい。」などの音声情報などである。伝達情報を再生するための再生方法情報とは、伝達情報を再生するための方法を示す情報であり、例えば、「０１２０−△△△−×××に電話をおかけになり、認証情報を入力して下さい。」などの音声情報などである。
【００３５】
なお、登録方法情報及び再生方法情報は、電子メールなどの文字情報であってもよく、この文字情報は、携帯機器１０のディスプレイに表示される。
【００３６】
入力部１２は、二次元バーコード４を撮影して当該二次元バーコード４の画像情報を取得するカメラなどである。なお、入力部１２は、バーコードを読み取るバーコードリーダーの機能を具備していてもよい。
【００３７】
出力部１３は、インターフェースサーバ２０から受信したメニュー情報や伝達情報などを表示するディスプレイやスピーカーなどである。
【００３８】
図３は、本実施例におけるインターフェースサーバ２０を示す図であり、図４は、本実施例におけるインターフェースサーバ２０の記憶部２２に記憶される情報を示す図である。
【００３９】
図３に示すように、インターフェースサーバ２０は、通信回線網４０に接続されており、送受信部２１と、記憶部２２と、制御部２３とを具備する。
【００４０】
送受信部２１は、二次元バーコード４の画像情報と伝達情報と認証情報（送付人情報を含む）と登録要求とを送付人１の携帯機器１０から受信し、メニュー情報と登録方法情報とを送付人１の携帯機器１０に送信する第二送信手段である。
【００４１】
また、送受信部２１は、二次元バーコード４の画像情報と認証情報と再生要求とを受取人２の携帯機器１０から受信し、メニュー情報と再生方法情報と伝達情報とを受取人２の携帯機器１０に送信する。
【００４２】
さらに、送受信部２１は、二次元バーコード４の画像情報と送付人情報とを管理サーバ３０に送信し、二次元バーコードＩＤとメニュー情報と送付人情報とを管理サーバ３０から受信する。
【００４３】
なお、送受信部２１は、携帯電話システムにおける基地局の有する無線通信機能を具備していてもよい。
【００４４】
記憶部２２は、図４に示すように、送受信部２１によって受信された二次元バーコードＩＤと認証情報と伝達情報とを関連付けて記憶する。
【００４５】
二次元バーコードＩＤは、上述のように、二次元バーコード４の各々に割り当てられているＩＤである。
【００４６】
認証情報には、送付人情報、受取人情報、パスワードなどが含まれている。具体的には、送付人情報は、送付人１の氏名、住所、電話番号、携帯機器端末のＩＤなどの中から任意に選択された情報であり、受取人情報は、受取人２の氏名、住所、電話番号、携帯端末のＩＤなどの中から任意に選択された情報である。また、パスワードは、インターフェースサーバ２０又は送付人１により設定されるものであり、４桁〜１０桁程度の数字等の組み合わせであることが好ましい。一般に、このパスワードの桁数は、組み合わせパターンの総数に対して、利用されているパスワードの数が十分に小さい方が好ましい。
【００４７】
伝達情報は、上述のように、送付人１が受取人２に伝えたい文字情報、音声情報、画像情報などであり、例えば、「お誕生日おめでとう」などのメッセージやＪＰＥＧで圧縮された写真データなどである。
【００４８】
なお、本実施例における送受信部２１及び記憶部２２は、送付人１の携帯機器１０から伝達情報と二次元バーコード４の画像情報とを受信し、二次元バーコードＩＤと伝達情報とを関連付けて記憶する第一記憶手段を構成する。
【００４９】
制御部２３は、送受信部２１が送付人１又は受取人２の携帯機器１０から二次元バーコード４の画像情報を受信すると、当該二次元バーコード４の画像情報を管理サーバ３０に送信するように送受信部２１を制御し、送受信部２１が管理サーバ３０からメニュー情報を受信すると、当該メニュー情報を送付人１又は受取人２の携帯機器１０に送信するように送受信部２１を制御する。
【００５０】
また、制御部２３は、送受信部２１が送付人１の携帯機器１０から登録要求を受信すると、登録方法情報を送付人１の携帯機器１０に送信するように送受信部２１を制御し、送受信部２１が受取人２の携帯機器１０から再生要求を受信すると、再生方法情報を受取人２の携帯機器１０に送信するように送受信部２１を制御する。
【００５１】
さらに、制御部２３は、送受信部２１が送付人１の携帯機器１０から二次元バーコード４の画像情報と認証情報と伝達情報とを受信すると、当該二次元バーコード４の画像情報が管理サーバ３０によって所定の手順で変換された二次元バーコードＩＤと当該認証情報と当該伝達情報とを関連付けて記憶するように記憶部２２を制御する。
【００５２】
制御部２３は、送受信部２１が受取人２の携帯機器１０から二次元バーコード４の画像情報と認証情報とを受信すると、当該二次元バーコード４の画像情報が管理サーバ３０によって所定の手順で変換された二次元バーコードＩＤと当該認証情報とに関連付けられている伝達情報を記憶部２２から検索し、検索された伝達情報を受取人２の携帯機器１０に送信するように送受信部２１を制御する。
【００５３】
なお、本実施例における送受信部２１及び制御部２３は、受取人２の携帯機器１０により送信された二次元バーコード４の画像情報を受信した場合に、当該二次元バーコード４の画像情報に関連付けられているメニュー情報を受取人２の携帯機器１０に送信する第一送信手段を構成する。
【００５４】
図５は、本実施例における管理サーバ３０を示す図である。図５に示すように、管理サーバ３０は、通信回線網４０に接続されており、送受信部３１と、第一変換部３２と、第二変換部３３と、記憶部３４と、検索部３５とを具備する。
【００５５】
送受信部３１は、インターフェースサーバ２０から二次元バーコード４の画像情報と送付人情報とを受信し、二次元バーコード４の画像情報が所定の手順で変換された二次元バーコードＩＤとグローバルＩＤに関連付けられているメニュー情報と送付人情報とをインターフェースサーバ２０に送信する。
【００５６】
第一変換部３２は、送受信部３１により受信された二次元バーコード４の画像情報を、二次元画像のパターン認識技術などによって認識し、認識された画像情報を二次元バーコードＩＤに所定の手順で変換する。
【００５７】
第二変換部３３は、第一変換部３２によって変換された二次元バーコードＩＤをグローバルＩＤに所定の手順で変換する。なお、第二変換部３３は、携帯機器１０又はインターフェースサーバ２０に二次元バーコード４の画像情報を二次元バーコードＩＤに変換する機能が具備されていれば、携帯機器１０又はインターフェースサーバ２０によって変換された二次元バーコードＩＤをグローバルＩＤに所定の手順で変換してもよい。
【００５８】
記憶部３４は、グローバルＩＤとメニュー情報とを関連付けて記憶している第二記憶手段である。
【００５９】
検索部３５は、第二変換部３３によって変換されたグローバルＩＤに関連付けられているメニュー情報を記憶部３４から検索する。なお、検索部３５は、携帯機器１０又はインターフェースサーバ２０に二次元バーコード４の画像情報をグローバルＩＤに変換する機能が具備されていれば、携帯機器１０又はインターフェースサーバ２０によって変換されたグローバルＩＤに関連付けられているメニュー情報を検索してもよい。
【００６０】
なお、本実施例におけるインターフェースサーバ２０と管理サーバ３０とは、伝達情報管理サーバの機能を果たす。また、インターフェースサーバ２０及び管理サーバ３０の機能は、一つのサーバに具備されていてもよい。
【００６１】
通信回線網４０は、携帯機器１０とインターフェースサーバ２０と管理サーバ３０とを接続しており、無線回線であっても光ファイバー等の有線回線であってもよい。
【００６２】
（伝達情報管理方法を実施するための構成要素の動作）
以下において、本実施例における伝達情報管理方法を実施するための各構成要素の動作について説明する。図６は、本実施例における伝達情報管理方法を実施するための各構成要素の動作を示すシーケンス図である。また、図７は、本実施例における２次元バーコードの撮影方法を示す図である。
【００６３】
図６に示すように、ステップ１０１において、送付人１は、二次元バーコード４がプリントされたシールと、送付物３（書籍など）とを購入し、送付物３にシールを貼る（図７（ａ）参照）。
【００６４】
ステップ１０２において、送付人１は、携帯機器１０によって送付物３に付された二次元バーコード４を撮影する（図７（ｂ）参照）。
【００６５】
ステップ１０３において、送付人１の携帯機器１０は、撮影された二次元バーコード４の画像情報と送付人情報（例えば、送付人の電話番号）とをインターフェースサーバ２０に送信する。
【００６６】
ステップ１０４において、インターフェースサーバ２０は、送付人１の携帯機器１０から受信した二次元バーコード４の画像情報と送付人情報とを管理サーバ３０に転送する。
【００６７】
ステップ１０５において、管理サーバ３０は、二次元バーコード４の画像情報と送付人情報とをインターフェースサーバ２０から受信する。
【００６８】
ステップ１０６において、管理サーバ３０は、ステップ１０５で受信した二次元バーコード４の画像情報を二次元バーコードＩＤに所定の手順で変換し、ステップ１０７において、ステップ１０６で変換された二次元バーコードＩＤをグローバルＩＤに所定の手順で変換する。
【００６９】
ステップ１０８において、管理サーバ３０は、ステップ１０７で変換されたグローバルＩＤに関連付けられているメニュー情報を検索する。
【００７０】
ここで、メニュー情報には、「音声情報の登録」、「画像情報の登録」、「文字情報の登録」、「伝達情報の再生」などの項目が含まれているものとする。
【００７１】
ステップ１０９において、管理サーバ３０は、ステップ１０５で受信した送付人情報と、ステップ１０６で変換された二次元バーコードＩＤと、ステップ１０８で検索されたメニュー情報とをインターフェースサーバ２０に送信する。
【００７２】
ステップ１１０において、インターフェースサーバ２０は、管理サーバ３０から受信したメニュー情報を送付人１の携帯機器１０に転送する。また、インターフェースサーバ２０は、管理サーバ３０から受信した送付人情報と二次元バーコードＩＤとを関連付けて記憶部２２に記憶する。
【００７３】
ステップ１１１において、送付人１の携帯機器１０は、受信した当該メニュー情報を携帯機器１０の出力部１３（ディスプレイ）に表示する。
【００７４】
ステップ１１２において、送付人１は、携帯機器１０の出力部１３（ディスプレイ）に表示されたメニュー情報の中から登録要求を選択し、選択された登録要求を携帯機器１０によってインターフェースサーバ２０に送信する。
【００７５】
なお、以下においては、送付人１は、「音声情報の登録」を選択したものとして説明する。
【００７６】
ステップ１１３において、インターフェースサーバ２０は、受信した登録要求に基づいて、所定の登録方法情報を送付人１の携帯機器１０に送信する。
【００７７】
具体的には、インターフェースサーバ２０は、「音声情報の登録」の要求を受信すると、音声情報を登録するための登録方法情報を送付人１の携帯機器１０に送信する。
【００７８】
ここで、音声情報を登録するための登録方法情報とは、「０１２０−×××−△△△に電話をおかけになり、認証情報を入力してからメッセージをお話し下さい」などの音声情報などである。
【００７９】
なお、以下の説明において、認証情報には、送付人１の電話番号と受取人２の電話番号とパスワードとが含まれているものとして説明するが、これに限定されず、例えば、パスワードのみを認証情報として用いてもよい。
【００８０】
ステップ１１４において、送付人１は、受取人２への伝達情報を作成し、作成された伝達情報と認証情報とを携帯機器１０からインターフェースサーバ２０に送信する。
【００８１】
具体的には、送付人１は、「０９０―××××―△△△△（送付人１の電話番号）」と、「０９０―○○○○―△△△△（受取人２の電話番号）」と、「１２３４（パスワード）」とを携帯機器１０に入力した後に、「お誕生日おめでとう（伝達情報）」を登録する。なお、送付人１の電話番号は、発信番号の通知機能によって、自動的にインターフェースサーバ２０に送信されてもよい。
【００８２】
ステップ１１５において、インターフェースサーバ２０は、受信した伝達情報と認証情報とを関連付けて記憶するとともに、これらの情報とステップ１１０で受信した二次元バーコードＩＤとを送付人情報に基づいて関連付けて記憶する。
【００８３】
具体的には、インターフェースサーバ２０は、受信した「０９０―××××―△△△△（送付人１の電話番号）」と、「０９０―○○○○―△△△△（受取人２の電話番号）」と、「１２３４（パスワード）」と「お誕生日おめでとう（伝達情報）」と、「１２３４５６（二次元バーコードＩＤ）」とを関連付けて記憶する。
【００８４】
図８は、本実施例における伝達情報管理方法を実施するための各構成要素の動作を示すシーケンス図である。
【００８５】
図８に示すように、ステップ２０１において、受取人２は、携帯機器１０によって送付物３に付された二次元バーコード４を撮影する（図７（ｂ）参照）。
【００８６】
ステップ２０２において、受取人２の携帯機器１０は、撮影された二次元バーコード４の画像情報をインターフェースサーバ２０に送信し、ステップ２０３において、インターフェースサーバ２０は、当該二次元バーコード４の画像情報を管理サーバ３０に転送し、ステップ２０４において、管理サーバ３０は、当該二次元バーコード４の画像情報を受信する。
【００８７】
ステップ２０５において、管理サーバ３０は、受信した二次元バーコード４の画像情報を二次元バーコードＩＤに所定の手順で変換し、ステップ２０６において、ステップ２０５で変換された二次元バーコードＩＤをグローバルＩＤに所定の手順で変換する。
【００８８】
ステップ２０７において、管理サーバ３０は、ステップ２０６で変換されたグローバルＩＤに関連付けられているメニュー情報を検索する。
【００８９】
ステップ２０８において、管理サーバ３０は、ステップ２０５で変換された二次元バーコードＩＤと、ステップ２０７で検索されたメニュー情報とをインターフェースサーバ２０に送信する。
【００９０】
ステップ２０９において、インターフェースサーバ２０は、二次元バーコードＩＤとメニュー情報とを管理サーバ３０から受信するとともに、当該メニュー情報を受取人２の携帯機器１０に転送する。
【００９１】
ステップ２１０において、受取人２の携帯機器１０は、受信した当該メニュー情報を携帯機器１０の出力部１３（ディスプレイ）に表示する。
【００９２】
ステップ２１１において、受取人２は、携帯機器１０の出力部１３（ディスプレイ）に表示されたメニュー情報の中から伝達情報の再生要求を選択し、選択された伝達情報の再生要求を携帯機器１０によってインターフェースサーバ２０に送信する。
【００９３】
ステップ２１２において、インターフェースサーバ２０は、受信した伝達情報の再生要求に基づいて、伝達情報を再生するための再生方法情報を受取人２の携帯機器１０に送信する。
【００９４】
具体的には、伝達情報を再生するための再生方法情報とは、「０１２０−△△△−×××に電話をおかけになり、認証情報を入力して下さい」などの音声情報などである。
【００９５】
ステップ２１３において、受取人２は、受信した再生方法情報に基づいて、携帯機器１０によってインターフェースサーバ２０に認証情報を送信する。
【００９６】
具体的には、受取人２は、「０９０―××××―△△△△（送付人１の電話番号）」と、「０９０―○○○○―△△△△（受取人２の電話番号）」と、「１２３４（パスワード）」とを携帯機器１０に入力する。
【００９７】
ステップ２１４において、インターフェースサーバ２０は、ステップ２０９で受信した二次元バーコードＩＤを記憶部２２の中から検索し、検索された二次元バーコードに関連付けられている認証情報と受取人２の携帯機器１０から受信した認証情報とが一致しているか否かを確認する。また、インターフェースサーバ２０は、認証情報が一致する場合には、二次元バーコードＩＤに関連付けられている伝達情報を受取人２の携帯機器１０に送信する。
【００９８】
具体的には、インターフェースサーバ２０は、「１２３４５６（二次元バーコードＩＤ）に関連付けられている認証情報と受取人２の携帯機器１０から受信した認証情報（「０９０―××××―△△△△（送付人１の電話番号）」及び「０９０―○○○○―△△△△（受取人２の電話番号）」及び「１２３４（パスワード）」）とが一致するか否か確認する。また、インターフェースサーバ２０は、認証情報が一致する場合には、「１２３４５６（二次元バーコードＩＤ）に関連付けられている「お誕生日おめでとう（伝達情報）」を受取人２の携帯機器１０に送信する。なお、受取人２の電話番号は、発信番号の通知機能によって、自動的にインターフェースサーバ２０に送信されてもよい。
【００９９】
また、インターフェースサーバ２０は、受取人２の携帯機器１０から受信した認証情報が記憶部２２の中にない場合には、「使用されていない認証情報です」などの音声情報を受取人２の携帯機器１０に送信し、認証情報が間違っている旨を受取人２に伝える。
【０１００】
ステップ２１５において、受取人２の携帯機器１０は、受信した伝達情報を再生する。
【０１０１】
なお、本実施例においては、二次元バーコード４が送付物３に付される場合について説明したが、二次元バーコード４の代わりにＲＦ−ＩＤタグなどを利用してもよい。ここで、ＲＦ−ＩＤタグを利用する場合には、携帯機器１０は、ＲＦ−ＩＤタグに記憶されている情報を読み取ることができるものとする。
【０１０２】
なお、本実施例においては、インターフェースサーバ２０は、二次元バーコードＩＤと認証情報と伝達情報とを関連付けて記憶するが、認証情報がなくても伝達情報が第三者に取得されることを防止できる場合には、認証情報を用いずに、二次元バーコードＩＤと伝達情報とを関連付けて記憶するように構成されていてもよい。これにより、認証情報を入力する受取人２の手間を削減することができる。
【０１０３】
ここで、認証情報がなくても伝達情報が第三者に取得されることを防止できる場合とは、例えば、二次元バーコード４がプリントされたシールを封書に入れて、送付物３とともにその封書を受取人２に郵送する場合などである。
【０１０４】
また、本実施例においては、伝達情報を登録する際に使用される認証情報と伝達情報を再生する際に使用される認証情報とは同じものであるが、登録する際に使用される認証情報と再生する際に使用される認証情報とが異なっていてもよい。
【０１０５】
（伝達情報管理方法の効果）
本実施例における伝達情報管理方法によれば、インターフェースサーバ２０が、送付人１によって作成された伝達情報と二次元バーコードＩＤとを関連付けて管理するため、送付人１は、任意の伝達情報（文字情報、音声情報、画像情報など）を、送付物３に付した二次元バーコード４を介して受取人２に伝えることができる。
【０１０６】
本実施例における伝達情報管理方法によれば、インターフェースサーバ２０が、二次元バーコードＩＤに加え、認証情報と伝達情報とを関連付けて管理し、認証情報を知らない第三者が、伝達情報を取得できないため、伝達情報の安全性を高めることができる。
【０１０７】
本実施例における伝達情報管理方法によれば、インターフェースサーバ２０が、二次元バーコードＩＤに加え、送付人１の電話番号と受取人２の電話番号と伝達情報とを関連付けて管理し、受取人２のみが伝達情報を取得できるため、伝達情報の安全性をさらに高めることができる。
【０１０８】
本実施例における伝達情報管理方法によれば、管理サーバ３０が、既存のバーコードＩＤ等をグローバルＩＤに変換するため、書籍におけるＩＳＢＮやバーコードにおけるＪＡＮコードなどの既存のＩＤ体系を利用することができる。
【図面の簡単な説明】
【０１０９】
【図１】本発明の実施例における伝達情報管理方法を実施するための各構成要素間の関係を示す図である。
【図２】本発明の実施例における携帯機器を示すブロック図である。
【図３】本発明の実施例におけるインターフェースサーバを示すブロック図である。
【図４】本発明の実施例におけるインターフェースサーバに記憶される情報を示す図である。
【図５】本発明の実施例における管理サーバを示すブロック図である。
【図６】本発明の実施例における伝達情報管理方法を実施するための各構成要素の動作を示すシーケンス図である（その１）。
【図７】本発明の実施例における二次元バーコードの撮影方法を示す図である。
【図８】本発明の実施例における伝達情報管理方法を実施するための各構成要素の動作を示すシーケンス図である（その２）。
【符号の説明】
【０１１０】
１・・・送付人、２・・・受取人、３・・・送付物、４・・・二次元バーコード、１０・・・携帯機器、１１・・・送受信部、１２・・・入力部、１３・・・出力部、２０・・・インターフェースサーバ、２１・・・送受信部、２２・・・記憶部、２３・・・制御部、３０・・・管理サーバ、３１・・・送受信部、３２・・・第一変換部、３３・・・第二変換部、３４・・・記憶部、３５・・・検索部、４０・・・通信回線網
【図１】
2005182206.tif 000003
【図２】
2005182206.tif 000004
【図３】
2005182206.tif 000005
【図４】
2005182206.tif 000006
【図５】
2005182206.tif 000007
【図６】
2005182206.tif 000008
【図７】
2005182206.tif 000009
【図８】
2005182206.tif 000010